(57)【要約】      （修正有）【課題】金属製オープンペール缶として、収容液剤の残量を計測器材を要さずに簡単に知ることができ、収容液剤の使用時に煩雑な計量の手間を省けるものを提供する。【解決手段】缶本体１の胴部１１の内周面に、収容液剤の残量を液面レベルで知るための目盛り５が表示されている。これにより各別な計量器材を用いることなく設定量の液剤を収容できる。【選択図】図１
0003180895.tif 000002
【実用新案登録請求の範囲】
【請求項１】
缶本体の内周面に、収容液剤の残量を液面レベルで知るための目盛りが表示されていることを特徴とする金属製オープンペール缶。
【請求項２】
前記目盛りが印刷表示されてなる請求項１に記載の金属製オープンペール缶。
【請求項３】
前記目盛りと共に、液剤名又は／及び商品名が胴部の内周面上部に表示されてなる請求項１又は２に記載の金属製オープンペール缶。
【考案の詳細な説明】
【技術分野】
【０００１】
本考案は、燃料油、潤滑油、塗料、溶剤、インキ、接着剤、食用油等の液状製品の容器として汎用される金属製のオープンペール缶に関する。
【背景技術】
【０００２】
一般的に、金属製のオープンペール缶は、図２に示すように、略縦円筒形の缶本体１と、その上端開口部に嵌着される円板状の蓋板２と、該缶本体１に取り付けられた蔓形把手３とで構成されている。その缶本体１は、金属板を円筒状に曲げ加工して端部同士をシーム溶接して得られる胴部１１の下端に、円板状の地板（底板）１２が巻締め固着したものであり、シーム溶接部ｓの上部位置とその径方向対向位置とに、帽子形の把手取付金具４がスポット溶接等で固着されている。なお、蓋板２としては、図示のように周縁に設けた多数のラグ２１を缶本体１の開口縁部に加締めて固定するラグタイプと、断面コ字形の緊締バンドによる締め付けで缶本体１の開口縁部に固定するバンドタイプとがある（特許文献１）。
【０００３】
このようなオープンペール缶では、蓋板２が取外し可能であって且つ蔓形把手３によって手持ちできるから、蓋板２を外した状態でバケツのように持ち上げて収容液剤を所要の混合槽や貯留槽等に流し込めると共に、その際の缶本体１の傾かせ加減で流出度合を任意に調整できるという利便性がある。
【先行技術文献】
【特許文献】
【０００４】
【特許文献１】特開２０１１−１４８５２０号公報（図５，図６）
【考案の概要】
【考案が解決しようとする課題】
【０００５】
しかるに、従来の金属製オープンペール缶では、収容液剤の全量を一回で消費する場合を除き、計量容器等によって使用量を定める必要があり、操作的に煩わしいという難点があった。特に、二液性の塗料や接着剤のように別々のオープンペール缶に収容された異種の液剤Ａ，Ｂを混合して使用する場合は、液剤Ａの缶内残量に対して液剤Ｂをどれだけ加えるべきかという的確な判断ができず、両液剤Ａ，Ｂの混合比にある程度の許容幅があっても、目分量では大きな過不足を生じる懸念があるため、通常は液剤Ａを計測容器に一旦移すか、計測尺を液中に差し入れて残量（容積）を測定した上で、Ｂ液も計測容器や定量カップ等を利用して測った添加量をＡ液に加えるという煩雑な手順を要している。
【０００６】
本考案は、上述の事情に鑑みて、金属製オープンペール缶として、収容液剤の残量を計測器材を要さずに簡単に知ることができ、その残量から流出量を各別な器材を用いることなく的確に定めることが可能であり、もって収容液剤の使用時に煩雑な計量の手間を省けるものを提供することを目的としている。
【課題を解決するための手段】
【０００７】
上記目的を達成するための手段を図面の参照符号を付して示せば、請求項１の考案に係る金属製オープンペール缶は、缶本体１の胴部１１の内周面に、収容液剤の残量を液面レベルで知るための目盛り５が表示されていることを特徴としている。
【０００８】
請求項２の考案は、上記請求項１の金属製オープンペール缶において、目盛り５が印刷表示されてなるものとしている。
【０００９】
請求項３の考案は、上記請求項１又は２の金属製オープンペール缶において、目盛り５と共に、液剤名７又は／及び商品名８が胴部１１の内周面上部に表示されてなるものとしている。
【考案の効果】
【００１０】
次に、本考案の効果を図面の参照符号を付して説明する。請求項１の金属製オープンペール缶によれば、缶本体１の胴部１１の内周面に表示された目盛り５によって収容液剤の残量を液面レベルで知ることができるから、缶本体１を傾けて設定量の収容液剤を流出させるに当たり、ある程度まで流出させた段階で缶本体１を一旦水平に戻して目盛り５を読み、流出前の残量との差から不足量を確認し、再流出させて不足量分を補い、更に要すれば不足量の確認と再流出を繰り返すことで液剤を設定量まで流出させることができる。また、二液性の塗料や接着剤のように別々のオープンペール缶に収容された異種の液剤Ａ，Ｂを混合して使用する場合、各々の液剤Ａ，Ｂの缶内残量が目盛り６によって判るから、各別な計量器材を用いることなく、例えば液剤Ａの入ったオープンペール缶内に、液剤Ｂを液剤Ａの残量に対応した的確な割合で加えて、該オープンペール缶内で両液剤Ａ，Ｂを混合して能率よく塗工用の混合形態にすることができる。
【００１１】
請求項２の考案によれば、目盛り５を印刷によって容易に表示できる。
【００１２】
請求項３の考案によれば、胴部１１の内周面上部に液剤名７又は／及び商品名８が表示されているから、液剤の種類を間違えて使用することによる事故や異常の発生を抑止できる。
【図面の簡単な説明】
【００１３】
【図１】本考案の一実施形態に係る金属製オープンペール缶の缶本体を一部破断状態で示す斜視図である。
【図２】一般的な金属製オープンペール缶の一例を示す斜視図である。
【考案を実施するための形態】
【００１４】
以下に、本考案の金属製オープンペール缶について、図１に示す２０Ｌ缶に適用した一実施形態によって具体的に説明する。
【００１５】
図１に示すように、本考案の一実施形態に係るオープンペール缶は、ステンレス鋼板やめっき鋼板からなる缶本体１０の胴部１１の内周面に、内底から上下方向に沿って０．５Ｌ刻みで２０Ｌ（図では容量オーバー分を含めた２１Ｌ）までの目盛り５と、その２Ｌ毎の容積数値６とが印刷にて表示されている。また、該胴部１１の内周面上部には、液剤種７と商品名８の表示が横方向に沿って同様に印刷にて表示されている。なお、図では明確ではないが、缶本体１は積重ねが可能なように下方側へ向けて若干縮径しているため、目盛り５の刻み間隔は下方ほど拡がっている。
【００１６】
缶本体１０の胴部１１は、その上端の開口周縁部が外側へ巻き込まれてカール部１１ａを形成すると共に、上部側に外側へ膨出する上下２本の補強用環状ビード１１ｂが形成されている。なお、図１は蓋板を取り外した状態を示しているが、その蓋板として、既述したラグタイプ（図２の蓋板２）と緊締バンドを介して締付け固定するバンドタイプとの何れをも使用できる。また、缶本体１には、図２で示す一般的なオープンペール缶と同様に、胴部１１のシーム溶接部ｓの上部位置とその径方向対向位置とに固着した帽子形の把手取付金具４を介して、蔓形把手３が取り付けられている。
【００１７】
上記構成の金属製オープンペール缶では、缶本体１の胴部１１の内周面に表示された目盛り５によって収容液剤の残量を液面レベルで知ることができる。従って、蓋板を取り外した状態で缶本体１を傾けて設定量の収容液剤を流出させるに当たり、ある程度まで流出させた段階で缶本体１を一旦水平に戻して目盛り５を読み、流出前の残量との差から不足量を確認し、再流出させて不足量分を補い、更に要すれば不足量の確認と再流出を繰り返すことにより、液剤を過不足なく設定量まで流出させることができ、計量容器等に注ぎ込んで液量を定める必要がないから操作的に極めて簡便である。
【００１８】
また、二液性の塗料や接着剤のように別々のオープンペール缶に収容された異種の液剤Ａ，Ｂを混合して使用する場合、各々の液剤Ａ，Ｂの缶内残量を目盛り５によって読み取れるから、例えば液剤Ａが入った一方のオープンペール缶内に、他方のオープンペール缶から液剤Ｂを注ぎ込む形で、該液剤Ｂを液剤Ａの残量に対応した的確な割合で加えて、そのオープンペール缶内で両液剤Ａ，Ｂを混合できる。なお、液剤Ｂの注入量は、前記同様に、ある程度まで注入した段階で缶本体１を水平に戻して目盛り５を読み、流出前の残量との差から不足量を確認し、再流出させて不足量分を補う操作で正確に設定できる。この場合、やはり両液剤Ａ，Ｂの残量及び使用量を計量器材等で測る必要がないことに加え、一方のオープンペール缶をそのまま混合槽として用いるから、両液剤Ａ，Ｂを極めて能率よく塗工用の混合形態にすることができる。
【００１９】
更に上記の実施形態では、胴部１１の内周面上部に液剤名７及び商品名８が表示されているから、作業者が液剤の種類を間違えて使用するのを防止でき、もって液剤の誤用に起因した事故や異常の発生を抑止できる。また、これら液剤名７及び商品名８と目盛り５及び容積数値６の表示は、胴部１１の板材のプレス加工による凹凸で形成してもよいが、オープンペール缶は計量容器のように何度も反復使用するものではなく、表示自体に各別な耐久性を要しないから、簡易で施工能率が高い印刷による表示が好適である。
【００２０】
なお、目盛り５の刻み幅及び表示形態と表示位置、容積数値６の表示間隔は、例示した以外に種々設定できる。そして、目盛り５については、缶本体１の胴部１１における内周面の複数カ所に設けてもよい。また、液剤名７と商品名８については、両者の一方のみを表示してもよい。
【００２１】
本考案を適用する金属製オープンペール缶としては、例示した２０Ｌ缶が最も汎用品であるが、他の規格サイズの１８Ｌ缶や２７Ｌ缶を始めとして、種々の容量のものを包含する。また、缶本体１１の環状ビード１１ｂの如き補強構造の形態は、例示以外に様々に構成できる。
【符号の説明】
【００２２】
１    缶本体
１１  胴部
３    蔓形把手
５    目盛り
６    容積数値
７    液剤名
８    商品名
【図１】
0003180895.tif 000003
【図２】
0003180895.tif 000004